(57)【要約】【課題】飲料用カップの蓋として使用されるリッドを高さ方向に積み重ねた状態で収容し、この収容されたリッドを１枚ずつ取り出すようにしたリッドディスペンサーであって、動力を使用せず、衛生的且つ確実にリッドを一枚ずつ払い出すことができる構造であって、故障も少なく、低コストで提供でき、使い勝手にも優れたリッドディスペンサーを提供する。【解決手段】リッドＲを高さ方向に積み重ねてなるリッド列Ｌを収納する筒体３と、該筒体３の下方開口の下部に設けられた収納室４と、該収納室４に水平移動可能に設けられたリッドセパレータ５と、該収納室４の下部に設けられたリッド取出口６とを備え、リッドセパレータ５はリッド列Ｌの最下位のリッドＲ１の両側縁を支持する一対のアーム１６、１６と、該一対のアーム間にて最下位の１枚のリッドＲ１を落下させる広幅開口部２８と、最下位から２枚目のリッドＲ２の下部を支持する爪片とを有する。【選択図】図３
2008178534.tif 000002
【特許請求の範囲】
【請求項１】
外周に周縁を有するリッドを高さ方向に積み重ねてなるリッド列を収納する筒体と、該筒体の下方開口の下部に設けられた収納室と、該収納室に水平移動可能に設けられたリッドセパレータと、該収納室の下部に設けられたリッド取出口とを備え、リッドセパレータはリッド列の最下位の周縁を両側で支持する一対のアームと、該一対のアーム間にて最下位の１枚のリッドを落下させる広幅開口部と、最下位から２枚目のリッドの下部を支持する爪片とを有し、リッドセパレータを移動することによって、前記リッドセパレータの爪片によって最下位から２枚目のリッドの周縁を両側で支持すると共に、最下位のリッドをリッドセパレータの広幅開口部からリッド取出口へ落下させ、さらにリッドセパレータを元の状態に復帰させることによって、残りのリッド列の最下位をリッドセパレータの一対のアームで支持するようにしたことを特徴とするリッドディスペンサー。
【請求項２】
前記筒体の下方開口付近の内壁に、前記リッドセパレータの一対のアームで支持されたリッド列の最下位のリッドの周縁を支持する支持片が設けられ、筒体内部に収納されたリッド列の最下位のリッドの周縁がリッドセパレータの両側のアームと支持片とによる３点で支持されたことを特徴とする請求項１記載のリッドディスペンサー。
【請求項３】
前記筒体に縦状の開口窓が設けられ、リッド列を縦長のポリ袋に収納した状態で前記筒体の上方開口から内部に収納し、ポリ袋の下部を開口窓から切り裂いて、該ポリ袋を前記筒体の上部から引き出して除去するようにしたことを特徴とする請求項１又は２記載のリッドディスペンサー。
【請求項４】
前記収納室にて移動自在に設けられたリッドセパレータには、前記収納室の奥部を支点としてリッドセパレータの押し込み動作に反発するスプリングが設けられたことを特徴とする請求項１、２又は３記載のリッドディスペンサー。
【請求項５】
前記筒体に収納されたリッド列の上部にリッド押圧体が載置され、該リッド押圧体は水平部材の四隅にアングル材を固定してなり、リッド押圧体に線材で連結されたバランサが筒体の上端に線材を引掛けた状態で外部に吊り下げられると共に、筒体内部のリッドが品切れとなった状態で、前記リッド押圧体のアングル材が前記リッドセパレータの爪片に係止されることによって該リッドセパレータの移動を停止するようにしたことを特徴とする請求項１、２、３又は４記載のリッドディスペンサー。
【請求項６】
前記リッド取出口を構成する室内に上方から落下してきた一枚のリッドを反転させる支点部材が設けられたことを特徴とする請求項１、２、３、４又は５記載のリッドディスペンサー。
【請求項７】
前記リッド取出口の底部には出口に向かって高くなる勾配を有する受皿面が設けられたことを特徴とする請求項１、２、３、４、５又は６記載のリッドディスペンサー。
【請求項８】
前記筒体は角筒体であることを特徴とする請求項１、２、３、４、５、６又は７記載のリッドディスペンサー。
【発明の詳細な説明】
【技術分野】
【０００１】
本発明は、コーヒーやジュース等の飲料用カップの蓋として使用されるリッドを高さ方向に積み重ねた状態で収容し、この収容されたリッドを必要に応じて１枚ずつ取り出すようにしたリッドディスペンサーに関する。
【背景技術】
【０００２】
従来から、コーヒーやジュース等の飲料用カップの蓋として、紙リッドや合成樹脂製リッド等が用いられている。これらのリッドの形状は、飲料用カップの上端周部に嵌合する周縁とその内部に凸形状を有し（図７のリッドＲを参照）、カップ式飲料自動販売機の外部に設けられたリッド供給器に収容されているものである。従来のリッド供給器は、桶状の容器にリッドが収容されたものであり、そのリッドを購入者自身の手で選び取ることにより提供される。
【０００３】
ところが、上記のリッド供給器は、容器の蓋を開放したとき、外部のゴミや埃が容器内に落下するおそれがあり、容器を覆う蓋だけではゴミや埃が容器内部へ侵入するのを防止できないという欠点があった。また、購入者がリッドを容器内から選び取るとき、選び取ったリッド以外のリッドに汚れた手が触れたり、一旦取り出したリッドを容器に戻すというようなことがあり、使用上、不衛生な構造となっていた。
【０００４】
このような不都合を解消するため、特許文献１にカップの蓋を供給する装置が開示されているが、より簡易に、低コストで製造し得る構造のリッドディスペンサーが希求されていた。
【特許文献１】特開２００２−１５０４１９号公報（図６）
【発明の開示】
【発明が解決しようとする課題】
【０００５】
本発明は、上記の事情に鑑みてなされたもので、コーヒーやジュース等の飲料用カップの蓋として使用されるリッドを高さ方向に積み重ねた状態で収容し、この収容されたリッドを必要に応じて１枚ずつ取り出すようにしたリッドディスペンサーであって、動力を使用せず、衛生的、且つ確実にリッドを一枚ずつ払い出すことができる構造であって、故障も少なく、低コストで提供でき、使い勝手にも優れたリッドディスペンサーを提供することを目的とする。
【課題を解決するための手段】
【０００６】
上記の目的を達成するために、本発明の請求項１のリッドディスペンサーは、外周に周縁を有するリッドを高さ方向に積み重ねてなるリッド列を収納する筒体と、該筒体の下方開口の下部に設けられた収納室と、該収納室に水平移動可能に設けられたリッドセパレータと、該収納室の下部に設けられたリッド取出口とを備え、リッドセパレータはリッド列の最下位の周縁を両側で支持する一対のアームと、該一対のアーム間にて最下位の１枚のリッドを落下させる広幅開口部と、最下位から２枚目のリッドの下部を支持する爪片とを有し、リッドセパレータを移動することによって、前記リッドセパレータの爪片によって最下位から２枚目のリッドの周縁を両側で支持すると共に、最下位のリッドをリッドセパレータの広幅開口部からリッド取出口へ落下させ、さらにリッドセパレータを元の状態に復帰させることによって、残りのリッド列の最下位をリッドセパレータの一対のアームで支持するようにしたことを特徴とする。
【０００７】
また、本発明の請求項２のリッドディスペンサーは、請求項１において、前記筒体の下方開口付近の内壁に、前記リッドセパレータの一対のアームで支持されたリッド列の最下位のリッドの周縁を支持する支持片が設けられ、筒体内部に収納されたリッド列の最下位のリッドの周縁がリッドセパレータの両側のアームと支持片とによる３点で支持されたことを特徴とする。
【０００８】
また、本発明の請求項３のリッドディスペンサーは、請求項１又は２において、前記筒体に縦状の開口窓が設けられ、リッド列を縦長のポリ袋に収納した状態で前記筒体の上方開口から内部に収納し、ポリ袋の下部を開口窓から切り裂いて、該ポリ袋を前記筒体の上部から引き出して除去するようにしたことを特徴とする。
【０００９】
また、本発明の請求項４のリッドディスペンサーは、請求項１、２又は３において、前記収納室にて移動自在に設けられたリッドセパレータには、前記収納室の奥部を支点としてリッドセパレータの押し込み動作に反発するスプリングが設けられたことを特徴とする。
【００１０】
また、本発明の請求項５のリッドディスペンサーは、請求項１、２、３又は４において、前記筒体に収納されたリッド列の上部にリッド押圧体が載置され、該リッド押圧体は水平部材の四隅にアングル材を固定してなり、リッド押圧体に線材で連結されたバランサが筒体の上端に線材を引掛けた状態で外部に吊り下げられると共に、筒体内部のリッドが品切れとなった状態で、前記リッド押圧体のアングル材が前記リッドセパレータの爪片に係止されることによって該リッドセパレータの移動を停止するようにしたことを特徴とする。
【００１１】
また、本発明の請求項６のリッドディスペンサーは、請求項１、２、３、４又は５において、前記リッド取出口を構成する室内に上方から落下してきた一枚のリッドを反転させる支点部材が設けられたことを特徴とする。
【００１２】
また、本発明の請求項７のリッドディスペンサーは、請求項１、２、３、４、５又は６において、前記リッド取出口の底部には出口に向かって高くなる勾配を有する受皿面が設けられたことを特徴とする。
【００１３】
さらに、本発明の請求項８のリッドディスペンサーは、請求項１、２、３、４、５、６又は７において、前記筒体は角筒体であることを特徴とする。
【発明の効果】
【００１４】
上記の本発明において、請求項１のリッドディスペンサーによれば、筒体の内部に多数のリッドを積み重ねた状況で収納することができ、また、そのリッドを１枚ずつ確実にリッド取出口から取り出すことが可能となる。従って、購入者が他のリッドに触れることなく、リッドを取り出すことができ、リッドを衛生的に使用することが可能となる。しかも、簡単な構造であるため、故障も少なく、低コストで提供することが可能となる。
【００１５】
また、本発明の請求項２のリッドディスペンサーによれば、筒体内部に収納されたリッド列の最下位の周縁がリッドセパレータの両側のアームと支持片とによる３点で支持されたことによって、安定した支持構造を得ることが可能となる。これは、筒体の内部に多数積み重ねられたリッドが、その重量で下方のリッドが撓み、最下位付近のリッドが複数枚一度に落下したりするという不都合を解消するのに有益である。
【００１６】
また、本発明の請求項３のリッドディスペンサーによれば、リッド列を縦長のポリ袋に収納した状態で筒体の上方開口から内部に収納することができるため、リッドの充填作業が容易であり、ポリ袋の下部を開口窓から引き出することによって簡単に除去することができ、さらに筒体に収納されたリッドを縦状の開口窓から目視で確認することがき、リッドの残量を容易に判別することが可能となる。
【００１７】
また、本発明の請求項４のリッドディスペンサーによれば、収納室の奥部を支点として、リッドセパレータの押し込み動作に反発するスプリングが設けられているため、リッドセパレータの押し込み動作を行った後、リッドセパレータを押し込んだ際の手を離しさえすれば、元の状態に復帰するという利便性を有するものである。
【００１８】
また、本発明の請求項５のリッドディスペンサーによれば、筒体に収納されたリッド列の上部にリッド押圧体が載置され、このリッド押圧体に線材で連結されたバランサが筒体の上端に線材を引掛けた状態で外部に吊り下げられているため、筒体の内部で積み重ねられたリッドの残量枚数が変化しても安定した押圧力を付与することができ、しかも筒体内部のリッドが品切れとなった状態で、リッド押圧体のアングル材がリッドセパレータの爪片に係止されることによって該リッドセパレータの移動を停止することができるため、それによって、購入者はリッドの品切れを知ることが可能となる。
【００１９】
また、本発明の請求項６のリッドディスペンサーによれば、リッド取出口を構成する室内に上方から落下してきた一枚のリッドを反転させる支点部材が設けられているため、筒体の内部に、個々のリッドの内部を上向きにした状態で積み重ねていたとき、リッド取出口へはリッドの内部を伏せた状態に反転して落下するため、ゴミや埃等がリッドの内部に付着することがなく、衛生的に使用することが可能となる。
【００２０】
さらに、本発明の請求項７のリッドディスペンサーによれば、リッド取出口の底部には出口に向かって高くなる勾配を有する受皿面が設けられているため、上記のように上方から落下してきたリッドがリッド取出口の外方に飛び出さないようにすることが可能となる。
【発明を実施するための最良の形態】
【００２１】
以下、本発明の実施例について図面を参照しながら説明する。
【実施例１】
【００２２】
本実施例のリッドディスペンサー１は、コーヒーやジュース等の飲料用カップの蓋として使用されるリッドＲを高さ方向に積み重ねた状態で収容し、この収容されたリッドＲを必要に応じて１枚ずつ取り出すことを可能としたものである。
【００２３】
本実施例によるリッドディスペンサー１の全体構成は、図１又は図２に示すように、リッドＲを高さ方向に積み重ねてなるリッド列Ｌを収納する筒体３と、筒体３の下方開口の下部に設けられた収納室４と、収納室４に水平移動可能に設けられたリッドセパレータ５と、収納室４の下部に設けられたリッド取出口６とを備えてなるものである。
【００２４】
また、本実施例のリッドディスペンサー１は、縦長の筐体２の内部に構成されている。この筐体２は、互いに平行に配設された両側の側板７、７と、底板８と、背面板９とを備え、両側の側板７、７間の奥まった位置に前面板１０が固定されている。
【００２５】
本実施例の筒体３は、上記の前面板１０と両側の側板７、７と背面板９とで囲まれた横断面が四角形の枠体からなる角筒体とされている。ただし、この筒体３は、他の筒形状により構成してもよい。また、図１又は図２に示すように、筒体３の上方開口は蓋板１１によって閉塞されている。この蓋板１１は、図２に示すように背面板９の上端にヒンジ１２で開閉自在に枢設され、蓋板１１の端部に設けられた係止部材１３を筐体２側に設けられた鍵部材１４に係止することにより（図３参照）、店員等の特定の者が所有している所定のキー（不図示）で施錠をすることができ、またこのキーで施錠を解除して蓋板１１を開けることができるものとされている。
【００２６】
また、図２に示すように筒体３の下部の収納室４には、後述するリッドセパレータ５が設けられ、このリッドセパレータ５によって、多数のリッドＲを高さ方向に積み重ねてなるリッド列Ｌを支持する構成としている。また、筒体３の前面板１０には、縦状の開口窓１０ａ（図１参照）が設けられ、リッド列Ｌを縦長のポリ袋１５に収納した状態で筒体３の上方開口から内部に投下することによって充填することができる。そして、筒体３に収納された状態のポリ袋１５の下部１５ａを開口窓１０ａから引き出すことによってポリ袋１５を除去することができ、筒体３の内部に多数のリッドＲが積み重ねられた状態となる。また、このように筒体３の内部にリッド列Ｌを収納した状態において、筒体３の前面板１０の開口窓１０ａから内部のリッドＲの残量を目視で確認することが可能となる。
【００２７】
なお、上記のように、所定枚数のリッドＲをポリ袋１５の内部に積み重ねた状態において、各リッドＲは、図７に示すように開口側ＲＯを上方に向けて配列されている。従って、各リッドＲの周縁Ｆは上側に位置するものとなる。
【００２８】
また、リッド列Ｌを筒体３の内部に収容する以前の状態においては、衛生上又は保管、運搬上の理由から、リッドＲを所定枚数積み重ねて縦長のポリ袋１５に閉封した状態で収容してあるため、作業者はリッド列Ｌをポリ袋１５に収納した状態で筒体３の内部に一度に充填することができるため、作業者の手がリッドＲに触れることがなく、衛生的に充填作業を行うことができる。その状態で、筒体３のポリ袋１５の下部を開口窓１０ａから切り裂いて、該ポリ袋１５を筒体３の上方開口から引き出すことにより、衛生的且つ容易にポリ袋１５を筒体３内から除去することができる。なお、このようなポリ袋１５の除去作業は、筒体３内のポリ袋１５の上部を開封し、筒体３の開口窓１０ａからポリ袋１５の下部を引き出す方法でもよい。
【００２９】
ここで、本実施例のリッドセパレータ５について説明すると、図５（ａ）又は(ｂ)に示すように、リッドセパレータ５は、離間した両側に一対のアーム１６、１６を有することにより平面形状がコ字形をなし、一対のアーム１６、１６の繋ぎ部１７の中央には下部に突出したプッシュボタン１８が外方に向けて各アーム１６と平行に延びた状態で固設されている。また、図５（ａ）に示すように、プッシュボタン１８に設けられた内腔１８ａには、スプリング１９の端部が挿着され、スプリング１９の端部は一対のアーム１６、１６間に自由端を向けた状態とされている。
【００３０】
さらに、リッドセパレータ５の繋ぎ部１７の上部には長尺のストッパ２０が固設されている。このストッパ２０は、図３に示すように、リッドセパレータ５を収納室４内の奥方へ収納した状態で収納室４の入口部を化粧板３７で固定することにより（図１参照）、ストッパ２０が化粧板３７に係止された状態となって、購入者等がリッドセパレータ５を外方へ取り出すことができない構造とすることができる。
【００３１】
このようなリッドセパレータ５は、上記したように筒体３の下部に設けられた収納室４に水平移動自在に収納される。この収納室４は、図４（ａ）、(ｂ)に示すように、筒体３の下部にて筒体３の前面板１０の下端から前方に延びた上板２１を有し、その下部にリッドセパレータ５の一対のアーム１６、１６を挿入し得る上下幅を有して中間板２２が固設されている。
【００３２】
この中間板２２は、筐体２の両側の側板７、７に沿って奥方向に向けて幅細に形成された延長板２３、２３を有し、これらの両側の延長板２３、２３の間は、平行状態のリッドＲを余裕で通過することができる離間幅Ｃ（図４（ａ）参照）を有するように形成されている。また、この中間板２２の前方中央にはリッドセパレータ５のプッシュボタン１８を奥方向に挿通させるための溝型の案内室２４を有し、この案内室２４の両側に側板２５、２５を固設すると共に、該案内室２４の下部には、筐体２の両側の側板７、７間に固設された下板２６が設けられている。さらに、上記の案内室２４の奥部には奥板２７が固設され、この奥板２７にリッドセパレータ５に設けられた後述するスプリング１９の先端が当接してスプリング１９を弾発させることとなる。
【００３３】
上記のリッドセパレータ５について、より詳細に述べると、図５(ｂ)に示すように、一対のアーム１６、１６の各アーム１６の先部は、互いに内側に向けて幅広に形成された係止部１６ａ、１６ａを有することにより、これらの両側の係止部１６ａ、１６ａの離間幅Ａよりも繋ぎ部１７の近傍に形成された広幅開口部２８の離間幅Ｂのほうが大きいものとされている。
【００３４】
このようなリッドセパレータ５の一対のアーム１６、１６と、１枚のリッドＲの関係について述べると、図６（ａ）に示すように、リッドＲの周縁Ｆの両側が一対のアーム１６、１６の各係止部１６ａ、１６ａに支持され、後述するようにリッドセパレータ５の水平移動によって、一対のアーム１６、１６の繋ぎ部１７の近傍の広幅開口部２８がリッドＲの下方に移動したとき、リッドＲは広幅開口部２８にて両側の支持を失い、下方へ落下することとなる。
【００３５】
また、図５（ａ）に示すように、リッドセパレータ５の一対のアーム１６、１６における各アーム１６、１６の略中間位置には爪片２９、２９が固定されている。夫々の爪片２９は、上部が互いに内側に向けて延長された延長部２９ａを有し、両側の爪片２９の離間幅は、一対のアーム１６、１６の各先部の係止部１６ａ、１６ａの離間幅Ａと略同様に形成され、このため両側の爪片２９、２９の各延長部２９ａ、２９ａの上部にリッドＲの周縁Ｆの両側を支持することが可能とされている。
【００３６】
また、夫々の爪片２９、２９は、図７に示すように、リッドＲを積み重ねた状態で最下位のリッドＲ１の周縁Ｆの両側を一対のアーム１６、１６の係止部１６ａ、１６ａで支持した状態で、爪片２９の各延長部２９ａ、２９ａが最下位から２枚目のリッドＲ２の下部に挿入されることによって最下位のリッドＲ１と最下位から２枚目のリッドＲ２とを切り離し、且つ爪片２９の延長部２９ａが最下位から２枚の目のリッドＲ２を下方から支持するものとされている。
【００３７】
上記の構成により、図４（ａ）のように収納室４から取り外した状態のリッドセパレータ５を、図４(ｂ)に示すように収納室４の内部に挿入すると、一対のアーム１６、１６は上板２１と中間板２２の間に挿入されると共に、リッドセパレータ５のプッシュボタン１８は案内室２４に挿入され、リッドセパレータ５が左右にぶれないように規制された状態で水平移動を行うことが可能となる。また、リッドセパレータ５のスプリング１９は案内室２４に挿入され、スプリング１９の自然状態でスプリング１９の先端が奥板２７に当接された状態となる。
【００３８】
この状態で、図６（ａ）に示すように、リッドセパレータ５の一対のアーム１６、１６は、その先端の係止部１６ａ、１６ａで筒体３に収納されたリッド列Ｌの最下位のリッドＲ１の周縁Ｆの両側を支持する。この状態でプッシュボタン１８をスプリング１９の弾力に抗して押し込むと、図６(ｂ)及び図７に示すように、両側の爪片２９の延長部２９ａがリッド列Ｌの最下位から２枚目のリッドＲ２の下部に挿入され、この最下位から２枚目のリッドＲ２と最下位のリッドＲ１とを切り離した状態で、最下位から２枚目のリッドＲの周縁Ｆの両側を支持することとなる。また、このように最下位から２枚目のリッドＲ２を両側の爪片２９、２９の延長部２９ａ、２９ａで支持すると同時に、切り離された最下位のリッドＲ１は一対のアーム１６、１６間の広幅開口部２８に位置して、周縁Ｆの両側に対する支持を失い、自重で筐体２の下部のリッド取出口６に落下する。
【００３９】
また、上記によって両側の爪片２９、２９の延長部２９ａ、２９ａによって支持されていたリッド列Ｌの最下位から２枚目のリッドＲ２は、リッド列Ｌの最下位のリッドＲ１となり、図６（ａ）に示すように、リッドセパレータ５を元の状態に復帰させることによって、一対のアーム１６、１６の係止部１６ａ、１６ａで支持するように移行する。このようにリッドセパレータ５を元の状態に復帰させる作業は、上記のように、リッドセパレータ５に、収納室４の奥部（奥板２７）を支点としてリッドセパレータ５の押し込み動作に反発するスプリング１９が設けられているため、プッシュボタン１８を押していた手を離すだけで、リッドセパレータ５を元の状態に復帰することが可能となる。
【００４０】
さらに、本実施例においては、図３に示すように、筒体３の下方開口付近の内壁、即ち背面板９の内側に、リッドセパレータ５の一対のアーム１６、１６の係止部１６ａ、１６ａで支持されたリッド列Ｌの最下位のリッドＲ１の周縁Ｆを支持する支持片３５が設けられている。この支持片３５は、後述するように、リッドＲの周縁Ｆの一箇所を支持し、またリッドＲを下方へ滑り落す必要があるため、該支持片３５の端部を湾曲状に形成するのが好ましい。このような構成により、筒体３内部に収納されたリッド列Ｌの最下位のリッドＲの周縁Ｆが両側のアーム１６、１６の各係止部１６ａ、１６ａと支持片３５とによる３点で支持される構成となる。これにより、多数のリッドＲが積み重ねられることによって、その重量で最下位のリッドＲ１にたわみが生じ、一対のアーム１６、１６による支持から離脱して、その間に落下することを防止することができ、上記のように両側のアーム１６、１６の各係止部１６ａ、１６ａと支持片３５とによる３点でリッド列Ｌの最下位のリッドＲ１の周縁Ｆを支持することによって、安定した支持状態とすることが可能となる。
【００４１】
また、本実施例においては、図３に示すように、筒体３に収納されたリッド列Ｌの上部にリッド押圧体３１が載置されている。このリッド押圧体３１は四角形平面による水平部材３１ａの四隅にて下方に突出するアングル材３１ｂ、３１ｂ…が固設されてなり、リッド押圧体３１に線材３２で連結されたバランサ３３が、筒体３の背面板９の上端に線材３２を引掛けた状態で外部に吊り下げられると共に、筒体３内部のリッドＲが品切れになると、リッド押圧体３１のアングル材２９がリッドセパレータ５の爪片２９に係止されることによって該リッドセパレータ５の移動を停止し、筒体３内のリッドＲが品切れであることを認識できるようにしている。
【００４２】
また、本実施例においては、図３に示すように、リッド取出口６を構成する室内に上方から落下してきた一枚のリッドＲを反転させる支点部材３６が設けられている。この支点部材３６は、図４（ａ）に示すように、筐体２の両側側板７、７間に固定された棒状の形状を有するが、板状の部材で構成してもよい。この支点部材３６によって、リッド取出口６の室内に上方の筒体３から落下してきた個々のリッドＲを反転させることができるため、上記のように筒体３の内部に個々のリッドＲの内部を上向きにした状態で積み重ねていたとき、リッド取出口６へはリッドＲの内部を伏せた状態に反転して落下し、ゴミや埃等がリッドＲの内部に付着することがなく、衛生的に使用することが可能となる。
【００４３】
さらに、本実施例においては、図３又は図４に示すように、リッド取出口６の底部には底板８上に出口に向かって高くなる勾配を有する受皿面３４が設けられているため、上記のように筒体３の内部から落下してきたリッドＲがリッド取出口６の外方に飛び出さないようにすることが可能となる。また、この受皿面３４の上面に沿って複数のリブ３４ａ、３４ａ…が離間して設けられ、受皿面３４上に落下したリッドＲが、リブ３４ａ、３４ａ…に支持されることによって、リッドＲのリブ３４ａ、３４ａ…に対する接触面積が極小箇所に限定された状態となり、より衛生的な使用が可能となる。
【００４４】
なお、上記の本実施例において、１枚のリッドＲは、図５(ｂ)に示すように円形の周縁Ｆを有し、その内部の隆起部Ｒａにはストロー（不図示）を挿入するための穴Ｒｈが形成された構成とされているが、本実施例においては、ストローを挿入するための穴Ｒｈは必ずしも必要ではなく、周縁Ｆを有するリッドＲの形状であれば、本発明によるリッドディスペンサー１を適用することが可能である。
【産業上の利用可能性】
【００４５】
本発明のリッドディスペンサーは、コーヒーやジュース等のカップ式自動販売機の近傍に設置したり、飲料店の店頭に設置したりして、動力を使用せず、衛生的且つ確実にリッドを一枚ずつ払い出すことができ、故障も少なく、低コストで提供でき、使い勝手にも優れたリッドディスペンサーとして利用することが可能である。
【図面の簡単な説明】
【００４６】
【図１】本発明によるリッドディスペンサーの全体斜視図である。
【図２】本発明によるリッドディスペンサーの縦断面図である。
【図３】本発明によるリッドディスペンサーの縦断面図（一部省略）であり、リッドをリッド取出口へ落下する際の状況を示す。
【図４】(ａ)は本発明によるリッドディスペンサーの収納室からリッドセパレータを取り出した状況を示す部分斜視図であり、(ｂ)はリッドディスペンサーの収納室へリッドセパレータを挿着した状況を示す部分斜視図である。
【図５】(ａ)は本発明によるリッドセパレータの前方斜視図であり、(ｂ)は本発明によるリッドセパレータの上面図である。
【図６】本発明によるリッドセパレータの平面図であり、(ａ)はリッドセパレータを押し込む前の状況を示し、(ｂ)はリッドセパレータを押し込んだ状況を示す。
【図７】本発明において、多数のリッドを積み重ねたリッド列をリッドセパレータで支持した状況を示す概略正面図である。
【符号の説明】
【００４７】
１  リッドディスペンサー
２  筐体
３  筒体
４  収納室
５  リッドセパレータ
６  リッド取出口
７  側板
８  底板
９  背面板
１０  前面板
１０ａ  開口窓
１１  蓋板
１２  ヒンジ
１３  係止部材
１４  鍵部材
１５  ポリ袋
１６  アーム
１７  繋ぎ部
１８  プッシュボタン
１８ａ  内腔
１９  スプリング
２０  ストッパ
２１  上板
２２  中間板
２３  延長板
２４  案内室
２５  側板
２６  下板
２７  奥板
２８  広幅開口部
２９  爪片
２９ａ  延長部
３０  奥板
３１  リッド押圧体
３１ａ  水平部材
３１ｂ  アングル材
３２  線材
３３  バランサ
３４  受皿面
３４ａ  リブ
３５  支持片
３６  支点部材
３７  化粧板
Ａ  係止部の離間幅
Ｂ  広幅開口部の離間幅
Ｃ  延長板間の離間幅
Ｆ  周縁
Ｌ  リッド列
Ｒ  リッド
Ｒ１  最下位のリッド
Ｒ２  最下位から２枚目のリッド
ＲＯ  開口側
Ｒｈ  穴
【図１】
2008178534.tif 000003
【図２】
2008178534.tif 000004
【図３】
2008178534.tif 000005
【図４】
2008178534.tif 000006
【図５】
2008178534.tif 000007
【図６】
2008178534.tif 000008
【図７】
2008178534.tif 000009